(57)【要約】【課題】安全かつ丁寧な運転で部品劣化が少ない優良運転を客観的に評価可能な仕組みを提供する。【解決手段】車両１００の運行状況を示す車両運行情報を収集しデータロガー２２０に蓄積した車載端末２００から、通信ネットワーク７００を介して、運転評価サーバ３１０に定期的に転送されてきた前記車両運行情報に基づいて、運転評価サーバ３１０の運転評価計算部３１０ａが算出する、車両運転の優良性を定量的に評価するための１ないし複数の項目からなる運転評価データとして、前記項目ごとに、車両１００の運転の優良性を絶対値として評価する絶対評価値とその履歴、および、前記絶対評価値について、同種の他車両との相対的価値を評価した偏差値とその履歴とを含むものとする。また、算出した運転評価データを運転評価データ保存部３１０ｂに保存するとともに、通信ネットワーク７００を介して、車両１００の所有者の情報通信端末４１０に送信する。【選択図】図１
2007213324.tif 000002
【特許請求の範囲】
【請求項１】
車両に搭載され、当該車両の運行に関する情報である車両運行情報を収集して、通信ネットワークを介して送信する車載端末と、前記車載端末から送信されてきた前記車両運行情報に基づいて、当該車両の運転に関する優良性を定量的に評価するための１ないし複数の項目からなる運転評価データを算出し、当該車両の所有者であるユーザの情報通信端末に通信ネットワークを介して送信する運転評価サーバとを、少なくとも備えて構成される運転評価サポートシステムであって、前記運転評価サーバは、前記運転評価データを構成する各項目について、他車両との相対的価値を評価した偏差値と該偏差値の履歴とを算出することを特徴とする運転評価サポートシステム。
【請求項２】
前記運転評価サーバは、前記偏差値を算出する際に、比較対象の他車両の車両グループとして、当該車両と同型同仕様同発売時期の車両グループ、あるいは、当該車両と同型同仕様の車両グループ、あるいは、当該車両と同型同発売時期の車両グループ、あるいは、当該車両と同型の車両グループ、のいずれかの車両グループを適用して、前記偏差値とその履歴とを算出することを特徴とする請求項１に記載の運転評価サポートシステム。
【請求項３】
前記運転評価サーバは、前記偏差値を算出する際に適用する前記車両グループを、各車両グループを構成する各車両から得られる運転評価データの標本数があらかじめ定めた閾値以上存在しているか否かに基づいて、選択することを特徴とする請求項２に記載の運転評価サポートシステム。
【請求項４】
前記運転評価サーバは、前記偏差値を算出する際に適用する前記車両グループを、当該車両と同型同仕様同発売時期の車両グループ、当該車両と同型同仕様の車両グループ、当該車両と同型同発売時期の車両グループ、当該車両と同型の車両グループ、の順番に、あらかじめ定めた閾値以上の標本数の他車両に関する運転評価データが得られるか否かに基づいて選択することを特徴とする請求項２または３に記載の運転評価サポートシステム。
【請求項５】
前記運転評価データをユーザの前記情報通信端末に対して送信する際に、当該運転評価データを構成する１ないし複数の項目における前記偏差値に関して、あらかじめ定めた閾値を超えている偏差値の項目が存在している場合、当該項目について注意を促す表示を付した形式で、前記運転評価データを送信することを特徴とする請求項１ないし４のいずれかに記載の運転評価サポートシステム。
【請求項６】
前記運転評価データをユーザの前記情報通信端末に対して送信する場合、前記運転評価データの前記偏差値の履歴を、時系列のグラフデータとして送信することを特徴とする請求項１ないし５のいずれかに記載の運転評価サポートシステム。
【請求項７】
前記運転評価サーバが算出する前記運転評価データを構成する項目として、道路上の他の交通物体へ進路を譲った度合いを示す走行距離当たりの譲り度に関する項目が少なくとも含まれていることを特徴とする請求項１ないし６のいずれかに記載の運転評価サポートシステム。
【請求項８】
前記運転評価データを構成する項目として、納車以降のエンジン回転数の履歴を分析した結果に基づいた当該車両の運転性癖の目安を示す情報が少なくとも含まれていることを特徴とする請求項１ないし７のいずれかに記載の運転評価サポートシステム。
【請求項９】
車両の運行に関する情報である車両運行情報に基づいて、当該車両の運転に関する優良性を定量的に評価するための１ないし複数の項目からなる運転評価データを算出し、当該車両の所有者であるユーザの情報通信端末に送信する運転評価データ算出方法であって、前記運転評価データを構成する各項目について、他車両との相対的価値を評価した偏差値と該偏差値の履歴とを算出することを特徴とする運転評価データ算出方法。
【請求項１０】
前記偏差値を算出する際に、比較対象の他車両の車両グループとして、当該車両と同型同仕様同発売時期の車両グループ、あるいは、当該車両と同型同仕様の車両グループ、あるいは、当該車両と同型同発売時期の車両グループ、あるいは、当該車両と同型の車両グループ、のいずれかの車両グループを適用して、前記偏差値とその履歴とを算出することを特徴とする請求項９に記載の運転評価データ算出方法。
【請求項１１】
前記偏差値を算出する際に適用する前記車両グループを、各車両グループを構成する各車両から得られる運転評価データの標本数があらかじめ定めた閾値以上存在しているか否かに基づいて、選択することを特徴とする請求項１０に記載の運転評価データ算出方法。
【請求項１２】
前記偏差値を算出する際に適用する前記車両グループを、当該車両と同型同仕様同発売時期の車両グループ、当該車両と同型同仕様の車両グループ、当該車両と同型同発売時期の車両グループ、当該車両と同型の車両グループ、の順番に、あらかじめ定めた閾値以上の標本数の他車両に関する運転評価データが得られるか否かに基づいて選択することを特徴とする請求項１０または１１に記載の運転評価データ算出方法。
【請求項１３】
前記運転評価データをユーザの前記情報通信端末に対して送信する際に、当該運転評価データを構成する１ないし複数の項目における前記偏差値に関して、あらかじめ定めた閾値を超えている偏差値の項目が存在している場合、当該項目について注意を促す表示を付した形式で、前記運転評価データを送信することを特徴とする請求項９ないし１２のいずれかに記載の運転評価データ算出方法。
【請求項１４】
前記運転評価データをユーザの前記情報通信端末に対して送信する場合、前記運転評価データの前記偏差値の履歴を、時系列のグラフデータとして送信することを特徴とする請求項９ないし１３のいずれかに記載の運転評価データ算出方法。
【請求項１５】
前記運転評価データを構成する項目として、道路上の他の交通物体へ進路を譲った度合いを示す走行距離当たりの譲り度に関する項目が少なくとも含まれていることを特徴とする請求項９ないし１４のいずれかに記載の運転評価データ算出方法。
【請求項１６】
前記運転評価データを構成する項目として、納車以降のエンジン回転数の履歴を分析した結果に基づいた当該車両の運転性癖の目安を示す情報が少なくとも含まれていることを特徴とする請求項９ないし１５のいずれかに記載の運転評価データ算出方法。
【発明の詳細な説明】
【技術分野】
【０００１】
本発明は、運転評価サポートシステムおよび運転評価データ算出方法に関し、特に、車両の運転に伴う部品劣化の程度を、定量的、かつ、客観的に評価する運転評価データを提供可能な運転評価サポートシステムおよび運転評価データ算出方法に関する。
【背景技術】
【０００２】
一般に、中古車両の売買においては、外見上の見た目だけでは、わからない部分がほとんど明らかにされることなく、売買を行なわざるを得ない状況にあり、かかる問題を解決しようとするための従来技術として、種々の技術が提案されている。
【０００３】
例えば、特許文献１に示す特開２００４−１５７９４９号公報「中古自動車の付加価値向上のためのビジネス方式および中古自動車の販売効率向上のためのビジネス方式」では、中古車販売業者のＷｅｂサーバに、車検証の情報はもとより、所有者の個人情報、担当者の個人情報までも含む整備記録などを蓄積して、適宜、個人情報を外して、購入希望者に情報提供を行なおうとする技術を提案している。
【０００４】
また、特許文献２に示す特開２００３−３２３４８１号公報「サービス履歴提供方法」では、車両の故障や異常の修理履歴を情報センタに登録しておき、中古車販売店は、いつでも、修理履歴を情報センタに照会することができる技術を提案している。
【０００５】
また、特許文献３に示す特開２００２−３２３４０９号公報「車両管理システム」では、直接、中古車売買を対象としている技術ではないものの、各部品の劣化状況や寿命を推定し、車両の売買時に、「購入後に寿命が来る各部品の寿命時期別リスト」を提供することができるという技術を提案している。
【０００６】
一方、走行距離や燃費などの車両運行情報を、インターネットを介してユーザに知らせたり、あるいは、保険会社がインターネットを介して契約内容との照合を行なったりすることは、すでに、一般的に行なわれている。
【特許文献１】特開２００４−１５７９４９号公報
【特許文献２】特開２００３−３２３４８１号公報
【特許文献３】特開２００２−３２３４０９号公報
【発明の開示】
【発明が解決しようとする課題】
【０００７】
前述のように、従来は、車両の売却時は、基本的には、メータや、清潔感、事故歴などのような外見上の見た目が査定の基準となっており、故障や修理の履歴を記録させたり、車両の運行情報から部品の寿命を推定したりする試みがなされている。
【０００８】
しかしながら、このような従来の技術には、次のような問題点が存在している。
【０００９】
車両を売却しようとするときに、明らかな故障や異常が存在している場合は、査定時に、修理・整備しておくことは当然とされているので問題はない。しかし、問題となるのは、部位・部品の劣化が進んでいる「かもしれない」、あるいは、転売直後に故障の原因となる「かもしれない」という予測性を伴う不明確な潜在的な要因が潜んでいる状況の場合である。
【００１０】
このような状況に対して、前記特許文献１では、整備の対象となった部位・部品についてのみ、かつ、少なくとも、その時点では問題がなかったという点についてのみ、証明されているだけであり、また、前記特許文献２でも、修理の対象となった部位・部品についてのみ、かつ、少なくとも、その時点では修理がなされたということが、照会できるだけである。
【００１１】
また、前記特許文献３には、「かもしれない」という現象が発生する予測時期に関する言及はあるものの、あくまでも、推定、推計のレベルであり、しかも、エンジン、変速機といった、ごく一部の部位・部品のみに対象が限られており、車両全ての部位・部品に対して推定を行なうことに関しては、一切考慮されていないものである。
【００１２】
一方、特定の部品に関する信頼に足る劣化情報の提示に加えて、車両全体の各部品に関する劣化の目安となる情報を提示することは有効である。このような車両全体の部位・部品に関する劣化状況を推定する目安の一つとして、対象の車両が、今まで、「安全に、また、丁寧に、運転されてきたか否か」ということを評価することが可能な運転評価データを提示することが有効である。
【００１３】
しかしながら、このような運転評価データの提示という観点から見ると、現在までは、車両の売却者本人のアピール力に依存しているだけの主観的な情報であり、曖昧な情報に過ぎないというのが現状である。
【００１４】
一方、中古車両の買取業者は、どこでも、中古車両を買い付ける際に、車両の売却者に対して「アピールポイントを言ってください」というようなことを問い合わせるものの、車両の売却者本人の主観による曖昧な情報しか提示することができないのが現状である。このため、たとえ、対象の車両全体の部位・部品に関する劣化を引き起こしていない程度に、それまで「安全に、また、丁寧に、優良な運転していた」としても、中古車両の買取業者の査定には、実際には、さして有効ではなかった。
【００１５】
「安全」、「丁寧」な運転を、主観による曖昧な定性的な情報から、客観性を伴う定量的な数値化を行なうことを目的に、その車両と同種類の他車両との比較結果を示す相対的価値を数値化した偏差値を提示することが可能になれば、中古車両の買取業者も、客観性を伴う定量的な相対的評価値に基づいて、公平に査定することができ、「安全」、「丁寧」で部品劣化が少なくなる優良運転を心掛けている運転者の車両については、しかるべき査定額によって買い取ることが可能になろう。
【００１６】
そこで、本発明の運転評価サポートシステムおよび運転評価データ算出方法は、「安全」、「丁寧」で部品劣化が少なくなるという優良運転がなされている車両であるか否かに関する評価に関して、客観性を有する同種車両全体における偏差値（相対的評価値）を算出することにより、「安全」、「丁寧」の意味合いを有する数値（相対的な価値を示す偏差値）を提示可能とすることによって、部品劣化を低減させる優良運転を促進させるとともに、優良運転の車両の査定価格にも正しい評価が反映可能となる仕組みを構築することに、その目的がある。
【課題を解決するための手段】
【００１７】
本発明の運転評価サポートシステムおよび運転評価データ算出方法は、前述の課題を解決するために、車両に搭載している各種センサ機器から取得される車両運行情報に基づいて、車両の運転の優良性を定量的に評価することが可能な運転評価データとして、当該車両と同種の車両間における相対的な評価値（偏差値）を算出して提示することを特徴としている。
【発明の効果】
【００１８】
本発明の運転評価サポートシステムおよび運転評価データ算出方法によれば、運転が「安全」、「丁寧」で部品劣化が少ないという優良運転か否かの尺度を示す運転評価データとして、同種の車両間における相対的な評価値を表現する偏差値を提示することを可能としているので、部品劣化に重大な影響を及ぼす運転に関わる情報でありながら、従来は、客観的には示すことができなかった「安全」、「丁寧」な運転という優良運転を示す度合いについて、客観的に表現して提示することができ、当該車両の運転者の今後の運転の参考情報になるとともに、当該車両の売却時に、売却側、購買側の各ユーザや仲介業者にとっても、中古車両としての価格評価をより適正に行うことができるという効果を奏することができる。
【発明を実施するための最良の形態】
【００１９】
以下に、本発明による運転評価サポートシステムおよび運転評価データ算出方法の最良の実施形態について、図面を参照しながら詳細に説明する。
【００２０】
（第１の実施形態）
まず、本発明による運転評価サポートシステムおよび運転評価データ算出方法に関する第１の実施形態について、詳細に説明する。
【００２１】
図１は、本発明による運転評価サポートシステムに関する第１の実施形態におけるシステム構成例を示すシステム構成図である。以下、図１のシステム構成例を用いて、本発明の運転評価サポートシステムにおける動作の一例、つまり、本発明の運転評価データ算出方法の一例を説明する。
【００２２】
まず、車両１００に搭載される車載端末２００の動作の一例を説明する。
【００２３】
車両１００に搭載されている車載端末２００は、車両１００の各部位に配置されている時計１０５、エンジンスイッチ１１０、速度計１２０、Ｇセンサ（加速度計）１３０、シートベルト警報装置１４０、一時停止警報部１５０、譲り計算部１６０、燃費計１７０、オドメータ（積算距離計）１８０、カーナビゲーション部１９０などの車載機器（センサ機器）から種々のデータを常時収集し、車両運行情報演算部２１０において必要とする演算を行なうことにより車両の運行状態を示す車両運行情報を求めて、求めた車両運行情報に関するデータをデータロガー２２０に蓄積する。
【００２４】
ここで、車載端末２００の車両運行情報演算部２１０が収集して、データロガー２２０に蓄積するデータの一例を示すと、次の通りである。なお、以下に示す収集情報は、本発明の実施形態の一例を示すものであり、本発明の趣旨を逸脱しない限り、かかる場合のみに限るものではなく、例えば、エアコンやオーディオなどの安全運転を支援する車両環境性の機器に関する情報など、他の情報を収集するようにしてもかまわない。
【００２５】
車両運行情報演算部２１０は、本日一日の車両の走行状態の変化（エンジンＯＮ／ＯＦＦ、加速／減速、発進／停止／一時停止、右折／左折、他車への道路の譲り、一般道路／高速道路の走行など）や運転者の状態の変化（シートベルトの脱着など）が発生した時刻を、時計１０５を読み取って収集する。また、本日一日のエンジンのＯＮ／ＯＦＦの履歴を、エンジンスイッチ１１０を読み取って収集する。また、本日一日の車両の走行速度および加速度の履歴を、速度計１２０およびＧセンサ（加速度センサ）１３０を読み取って収集する。
【００２６】
また、車両運行情報演算部２１０は、本日一日の運転者のシートベルトの脱着の履歴を、シートベルト警報装置１４０から取得して収集する。また、本日一日に走行した道路上の一時停止指定場所における一時停止に関する情報（一時停止遵守に関する情報、すなわち、一時停止指定場所における走行速度に関する情報）の履歴を、一時停止警報部１５０と、一時停止指定場所を記憶する一時停止位置記憶手段１５１と、から読み取って収集する。なお、一時停止警報部１５０の、特に、一時停止すべき道路上の地点を記憶している一時停止位置記憶手段１５１の構造については、特開２００４−３１０２６０号公報「一時停止警報装置」などに記載された既存技術を適用しても良い。
【００２７】
さらに、車両運行情報演算部２１０は、本日一日に走行した道路上で、道路上の他の交通物体が先に走行するように進路を譲った譲りの履歴を、譲り計算部１６０の計算結果を読み取って収集する。ここで、譲り計算部１６０の構造についても、特開２００４−０１３６５６号公報「サービス提供システム、サービス提供方法および運転状況判定装置」などに記載された既存技術を適用しても良い。
【００２８】
また、車両運行情報演算部２１０は、本日一日に消費した燃費を、燃費計１７０を読み取って収集する。また、本日一日の走行距離を、オドメータ（積算距離計）１８０を読み取って収集する。また、本日一日の走行道路に関する情報を、カーナビゲーション部１９０に属する地図データベース１９２から取得して収集する。この走行道路に関する情報には、一般道路と高速道路とに関する識別情報も含まれている。ここで、例えば、カーナビゲーション部１９０に属するＧＰＳ部１９１から取得した車両の現在位置に基づいて、一般道路と高速道路との道路種別が異なる場所に差し掛かったことを検出した場合、その時刻を、時計１０５から読み取って収集している。
【００２９】
以上の他に、車両運行情報演算部２１０は、図１には破線で示しているように、例えば、本日一日のエンジン回転数の履歴を、エンジン回転数センサ１９５を読み取って収集している。
【００３０】
次に、車載端末２００の車両運行情報演算部２１０は、収集した各種のデータを用いて、前述したように、車両運行情報に関するデータを演算して、データロガー２２０に蓄積する。
【００３１】
ここで、車載端末２００の車両運行情報演算部２１０が、データロガー２２０に蓄積する車両運行情報の一例を示すと、次の通りである。なお、以下に示す車両運行情報は、本発明の実施形態の一例を示すものであり、本発明の趣旨を逸脱しない限り、かかる場合のみに限るものではなく、他の情報を車両運行情報として演算して蓄積するようにしてもかまわない。
【００３２】
まず、エンジンスイッチ１１０を読み取って収集したエンジンのＯＮ／ＯＦＦの履歴と時計１０５の時刻情報とを組み合わせて得られるエンジンのＯＮ／ＯＦＦの時刻経過を、エンジンＯＮ／ＯＦＦログ２２１としてデータロガー２２０に蓄積する。
【００３３】
また、車両運行情報演算部２１０は、時計１０５の時刻情報と、カーナビゲーション部１９０に属するＧＰＳ部１９１から取得した現在位置と、地図データベース１９２から取得して収集した走行道路に関する情報と、に基づいて、まず、一般道路と高速道路とをそれぞれ走行していた時間帯を求めた後、時計１０５の時刻情報と速度計１２０を読み取って収集した車両の走行速度の履歴とを組み合わせて、一般道路を走行している時間帯では、一般道路走行用としてあらかじめ定めた一般道路用の上限閾値例えば時速６０ｋｍを超えていた時間を、また、高速道路を走行している時間帯では、高速道路走行用としてあらかじめ定めた高速道路用の上限閾値例えば時速１００ｋｍを超えていた時間を、それぞれ求めて、速度計ログ２２２の一般道路で６０ｋｍ／ｈ超時間ログ２２２ａ、速度計ログ２２２の高速道路で１００ｋｍ／ｈ超時間ログ２２２ｂとして、それぞれデータロガー２２０に蓄積する。
【００３４】
さらに、車両運行情報演算部２１０は、時計１０５の時刻情報と、速度計１２０を読み取って収集した車両の走行速度の履歴と、地図データベース１９２から取得して収集した走行道路に関する情報と、を組み合わせて、地図データベース１９２に記録されている制限速度を超えた速度で走行していた時間を求めて、速度計ログ２２２の地図ＤＢの制限速度超時間ログ２２２ｃとして、データロガー２２０に蓄積する。
【００３５】
さらに、車両運行情報演算部２１０は、Ｇセンサ（加速度センサ）１３０を読み取って収集した車両の加減速度の履歴と時計１０５の時刻情報とを組み合わせて得られる加減速度について、あらかじめ定めた閾値（例えば、０．９Ｇなど）を境に上下した加減速度の時刻経過を、Ｇセンサログ２２３としてデータロガー２２０に蓄積する。
【００３６】
また、車両運行情報演算部２１０は、シートベルト警報装置１４０から取得した運転者のシートベルトの脱着の履歴と時計１０５の時刻情報とを組み合わせて得られるシートベルトの脱着の時刻経過を、シートベルトＯＮ／ＯＦＦログ２２４としてデータロガー２２０に蓄積する。
【００３７】
また、車両運行情報演算部２１０は、一時停止警報部１５０と一時停止位置記憶手段１５１と速度計１２０とから取得される一時停止指定場所における一時停止の有無に関する情報の履歴と時計１０５の時刻情報とを組み合わせて得られる一時停止指定場所における一時停止の有無の時刻経過とを、一時停止ログ２２５としてデータロガー２２０に蓄積する。
【００３８】
同様に、車両運行情報演算部２１０は、譲り計算部１６０から取得した譲りの履歴（または、譲り回数）、燃費計１７０とカーナビゲーション部１９０とから一般道路・高速道路別に分離して取得した燃費、オドメータ１８０から取得した走行距離、および、地図データベース１９２から取得した走行道路、に関するそれぞれの情報を、譲りログ２２６、燃費ログ２２７、走行距離ログ２２８、および、走行道路ログ２２９として、それぞれ、データロガー２２０に蓄積する。
【００３９】
次に、車両のメーカサイト３００に設置されている運転評価サーバ３１０において、車両に関する「丁寧」、「安全」で部品劣化が少ない優良な運転を客観的に評価し得る運転評価データを算出する動作の一例すなわち運転評価データ算出方法の一例についてさらに説明する。
【００４０】
運転評価サーバ３１０には、図１に示すように、車両１００の車載端末２００から通信ネットワーク７００を介して転送されてくる車両運行情報に関するデータに基づいて、当該車両１００に関する「丁寧」、「安全」な運転を客観的に評価し得る運転評価データを算出する運転評価計算部３１０ａと、運転評価計算部３１０ａによって算出された運転評価データを保存する運転評価データ保存部３１０ｂとが備えられている。
【００４１】
すなわち、各車両１００に搭載されている車載端末２００は、通信機能２３０を用いて、通信ネットワーク７００を介して、車両のメーカサイト３００の運転評価サーバ３１０に対して、データロガー２２０に蓄積されている車両運行情報を、あらかじめ定めた周期で（本実施形態では、一日一回ずつとしている）、定期的に転送しており、運転評価サーバ３１０の運転評価計算部３１０ａは、各車両から定期的に転送されてきた車両運行情報に基づいて、それぞれの車両１００に関する「丁寧」、「安全」な運転を客観的に評価し得る運転評価データを算出して、運転評価データ保存部３１０ｂに保存する。
【００４２】
ここで、運転評価データとは、各車両１００が「丁寧」、「安全」で部品劣化が少ない優良な運転がなされているか否かを客観的に評価し得る１ないし複数の項目についてそれぞれ定量化して示すデータのことであり、各車両１００から転送されてくる車両運行情報に基づいて算出された他車両との相対的な価値を評価した相対的評価値すなわち偏差値と、その履歴とから構成されている。また、詳細は後述するが、運転評価データとして算出する、運転が「安全」、「丁寧」という尺度の一つとなる偏差値は、あくまでも、同種の車両グループ内における各車両間との相対的な評価値を示すものであり、減点法によって、その度合いを、数値化できる劣化や寿命とは、意味合いを異にするものである。
【００４３】
運転評価サーバ３１０において実施されるかくのごとき運転評価データの算出例について、以下にその一例を説明する。なお、以下に示す運転評価データは、本発明の実施例として、その一例を示すものであり、本発明の趣旨を逸脱しない限り、かかる場合のみに限るものではなく、他の情報を、「丁寧」、「安全」な運転を客観的に評価し得る運転評価データとして算出するようにしてもかまわない。
【００４４】
まず、車載端末２００のデータロガー２２０から通信機能２３０、通信ネットワーク７００を介して運転評価サーバ３１０において収集される車両運行情報について、再度説明する。
【００４５】
車載端末２００のデータロガー２２０にエンジンＯＮ／ＯＦＦログ２２１として蓄積されているエンジンスイッチ１１０をＯＮにしたＯＮ時刻とＯＦＦにしたＯＦＦ時刻、走行距離ログ２２８として蓄積されている本日一日の走行距離、走行道路ログ２２９として蓄積されている一般道路の走行距離、高速道路の走行距離、速度計ログ２２２として蓄積されている本日一日の走行速度に関する情報、とが、少なくとも、速度に関する車両運行情報として、車載端末２００から運転評価サーバ３１０に対して転送されてくる。
【００４６】
ここで、速度計ログ２２２として蓄積されている本日一日の走行速度に関する情報としては、一般道路で６０ｋｍ／ｈ超時間ログ２２２ａとして蓄積されている一般道路で６０ｋｍ／ｈを超えた時刻と６０ｋｍ／ｈ以下へと低下した時刻、高速道路で１００ｋｍ／ｈ超時間ログ２２２ｂとして蓄積されている高速道路で１００ｋｍ／ｈを超えた時刻と１００ｋｍ／ｈ以下へと低下した時刻、地図データベースの制限速度超時間ログ２２２ｃとして蓄積されている地図データベース１９２に登録されている道路の制限速度を超えた時刻と制限速度以下へと低下した時刻とが、少なくとも含まれている。
【００４７】
また、車載端末２００のデータロガー２２０に走行距離ログ２２８として蓄積されている本日一日の走行距離、Ｇセンサログ２２３として蓄積されている加減速度があらかじめ定めた閾値（例えば、０．９Ｇ）を超えた急制動発生時刻と該閾値以下へと低下した急制動解除時刻とが、少なくとも、急制動に関する車両運行情報として、車載端末２００から運転評価サーバ３１０に対して転送されてくる。なお、本日一日の走行距離に関しては、前述の走行速度に関する車両運行情報として転送されてきているので、重複して転送されてくる必要はない。
【００４８】
また、車載端末２００のデータロガー２２０にエンジンＯＮ／ＯＦＦログ２２１として蓄積されているエンジンスイッチ１１０をＯＮにしたＯＮ時刻とＯＦＦにしたＯＦＦ時刻、シートベルトＯＮ／ＯＦＦログ２２４として蓄積されているシートベルトを装着した装着時刻とシートベルトを外した時刻すなわち脱離時刻とが、少なくとも、シートベルト装着に関する車両運行情報として、車載端末２００から運転評価サーバ３１０に対して転送されてくる。なお、エンジンのＯＮ／ＯＦＦ時刻に関しては、前述の走行速度に関する車両運行情報として転送されてきているので、重複して転送されてくる必要はない。
【００４９】
また、車載端末２００のデータロガー２２０に一時停止ログ２２５として蓄積されている一時停止指定場所における通過速度と通過時刻とが、少なくとも、一時停止に関する車両運行情報として、車載端末２００から運転評価サーバ３１０に対して転送されてくる。
【００５０】
また、車載端末２００のデータロガー２２０に走行距離ログ２２８として蓄積されている本日一日の走行距離、譲りログ２２６として蓄積されている他車への道路の譲りに関する時間的履歴情報が、少なくとも、譲りに関する車両運行情報として、車載端末２００から運転評価サーバ３１０に対して転送されてくる。なお、本日一日の走行距離に関しては、前述した急制動に関する車両運行情報の場合と同様に、前述の走行速度に関する車両運行情報として転送されてきているので、重複して転送されてくる必要はない。
【００５１】
また、車載端末２００のデータロガー２２０に走行道路ログ２２９として蓄積されている一般道路の走行距離、高速道路の走行距離、燃費ログ２２７として蓄積されている一般道路・高速道路別の燃費に関する情報が、少なくとも、燃費に関する車両運行情報として、車載端末２００から運転評価サーバ３１０に対して転送されてくる。なお、一般道路の走行距離、高速道路の走行距離に関しては、前述の走行速度に関する車両運行情報として転送されてきているので、重複して転送されてくる必要はない。
【００５２】
また、車載端末２００のデータロガー２２０にエンジン回転数ログ２２９ａを蓄積している場合は、データロガー２２０に走行距離ログ２２８として蓄積されている本日一日の走行距離・走行時間、走行道路ログ２２９として蓄積されている一般道路の走行距離・走行時間、高速道路の走行距離・走行時間、エンジン回転数ログ２２９ａとして蓄積されている一般道路・高速道路別の平均エンジン回転数、走行道路ごとの平均エンジン回転数に関する情報が、少なくとも、エンジン回転数に関する車両運行情報として、車載端末２００から運転評価サーバ３１０に対して転送されてくる。なお、本日一日の走行距離・走行時間、一般道路の走行距離・走行時間、高速道路の走行距離・走行時間に関しては、前述の走行速度に関する車両運行情報として転送されてきているので、重複して転送されてくる必要はない。
【００５３】
次に、車載端末２００から定期的に転送されてくる車両運行情報から、運転評価サーバ３１０の運転評価計算部３１０ａにおいて、「丁寧」、「安全」で部品劣化が少ない運転か否かを客観的に評価する運転評価データを算出する運転評価データ算出方法の一例について説明する。
【００５４】
例えば、運転評価サーバ３１０の運転評価計算部３１０ａは、車載端末２００から転送されてきた走行速度に関する車両運行情報に基づいて、走行速度に関しての「丁寧」、「安全」な運転を客観的に評価する運転評価データを算出する。すなわち、一般道路での上限閾値例えば６０ｋｍ／ｈを超えた時刻と６０ｋｍ／ｈ以下へと低下した時刻とから、一般道路を走行中に時速６０ｋｍを超えていた時間を求めて、一般道路の走行距離で除した値を、一般道路走行距離当たりの一般道路速度オーバ比率として、次の通り算出し、走行速度に関する運転評価データの一つとして運転評価データ保存部３１０ｂに保存する。
【００５５】
一般道路走行距離当たりの一般道路速度オーバ比率
＝（一般道路走行中の時速６０ｋｍを超えていた時間）／（一般道路走行距離）
また、一般道路の走行距離の代わりに、走行距離と走行速度とに基づいて算出された一般道路の走行時間を用いて、一般道路走行時間当たりの一般道路速度オーバ比率として、次の通り、走行速度の時間割合を算出し、走行速度に関する運転評価データの一つとして運転評価データ保存部３１０ｂに保存する。
【００５６】
一般道路走行時間当たりの一般道路速度オーバ比率
＝（一般道路走行中の時速６０ｋｍを超えていた時間）／（一般道路走行時間）
さらに、高速道路での上限閾値例えば１００ｋｍ／ｈを超えた時刻と１００ｋｍ／ｈ以下へと低下した時刻とから、高速道路を走行中に時速１００ｋｍを超えていた時間を求めて、高速道路の走行距離で除した値を、高速道路走行距離当たりの高速道路速度オーバ比率として、次の通り算出し、走行速度に関する運転評価データの一つとして運転評価データ保存部３１０ｂに保存する。
【００５７】
高速道路走行距離当たりの高速道路速度オーバ比率
＝（高速道路走行中の時速１００ｋｍを超えていた時間）／（高速道路走行距離）
また、高速道路の走行距離の代わりに、走行距離と走行速度とに基づいて算出された高速道路の走行時間を用いて、高速道路走行時間当たりの高速道路速度オーバ比率として、次の通り、走行速度の時間割合を算出し、走行速度に関する運転評価データの一つとして運転評価データ保存部３１０ｂに保存する。
【００５８】
高速道路走行時間当たりの高速道路速度オーバ比率
＝（高速道路走行中の時速６０ｋｍを超えていた時間）／（高速道路走行時間）
さらに、地図データベース１９２に登録されている道路の制限速度を超えた時刻と制限速度以下へと低下した時刻とから、地図データベース１９２上の走行道路の制限速度を超えていた時間を求めて、本日一日の走行距離で除した値を、走行距離当たりの制限速度オーバ比率として、次の通り算出し、走行速度に関する運転評価データの一つとして運転評価データ保存部３１０ｂに保存する。
【００５９】
本日一日の走行距離当たりの制限速度オーバ比率
＝（地図データベース上の制限速度を超えていた時間）／（本日の走行距離）
また、本日一日の走行距離の代わりに、走行距離と走行速度とに基づいて算出された本日一日の走行時間を用いて、走行道路の走行時間当たりの制限速度オーバ比率として、次の通り、走行速度の時間割合を算出し、走行速度に関する運転評価データの一つとして運転評価データ保存部３１０ｂに保存する。
【００６０】
本日一日の走行時間当たりの制限速度オーバ比率
＝（地図データベース上の制限速度を超えていた時間）／（本日の走行時間）
さらに、走行速度と走行距離とから算出される走行時間を用いる代わりに、エンジンスイッチ１１０のＯＮ時刻とＯＦＦ時刻とから本日一日にエンジンがＯＮ状態になっていたエンジンＯＮ時間を求めて、一般道路走行中の時速６０キロを超えていた時間、高速道路走行中の時速１００キロを超えていた時間、および、地図データベース１９２上の制限速度を超えた速度で走行していた時間を、それぞれ、除することによって、エンジンＯＮ時間当たりの一般道路速度オーバ比率、高速道路速度オーバ比率、および、制限速度オーバ比率として、次の通り算出し、走行時間の時間割合を近似する走行速度に関する運転評価データの一つとして運転評価データ保存部３１０ｂに保存するようにしても良い。
【００６１】
エンジンＯＮ時間当たりの一般道路速度オーバ比率
＝（一般道路走行中の時速６０キロを超えていた時間）／（エンジンＯＮ時間）
エンジンＯＮ時間当たりの高速道路速度オーバ比率
＝（高速道路走行中の時速１００キロを超えていた時間）／（エンジンＯＮ時間）
エンジンＯＮ時間当たりの制限速度オーバ比率
＝（地図データベース上の制限速度を超えていた時間）／（エンジンＯＮ時間）
各車両に関するかかる走行速度に関する運転評価データを算出した後、同型の車両、同仕様の車両、同発売時期の車両などの車両グループに分類して、それぞれの車両グループ内における走行速度に関する相対的評価の位置付けを示す偏差値（他車両との相対的価値を評価した偏差値）を算出して、相対的な客観性を示す運行評価データの一つとして運転評価データ保存部３１０ｂに保存する。
【００６２】
なお、当該車両１００と同仕様の車両か否かは、本実施形態においては、メーカサイト３００の運転評価サーバ３１０にあらかじめ登録されている車両の登録重量が同一か否かに基づいて判定するようにしており、以下に説明する運転評価データの各項目の偏差値を求める場合において同仕様か否かを判定する場合も、全く同様に扱うことにしている。
【００６３】
また、運転評価計算部３１０ａは、走行中における急制動に関しての「丁寧」、「安全」で部品劣化が少ない運転か否かを客観的に評価する運転評価データを算出する。すなわち、減速度（マイナス加速度）があらかじめ定めた閾値（例えば、０．９Ｇ）を超えた急制動発生時刻と該閾値以下へと低下した急制動解除時刻とから、あらかじめ定めた閾値（例えば、０．９Ｇ）を超えた急制動の発生回数を求めて、本日一日の走行距離で除して、走行距離当たりの急制動発生比率（急制動発生頻度）として、次の通り算出し、急制動に関する運転評価データの一つとして運転評価データ保存部３１０ｂに保存する。
【００６４】
走行距離当たりの急制動発生比率
＝（急制動（例えば、０．９Ｇ以上の急制動）の発生回数）／（走行距離）
各車両に関するかかる急制動に関する運転評価データを算出した後、同型の車両、同仕様の車両、同発売時期の車両などの車両グループに分類して、それぞれの車両グループ内における急制動に関する偏差値を算出して、相対的な客観性を示す運行評価データの一つとして運転評価データ保存部３１０ｂに保存する。
【００６５】
また、運転評価計算部３１０ａは、走行中におけるシートベルト装着に関しての「安全」な運転を客観的に評価する運転評価データを算出する。すなわち、シートベルトを装着した装着時刻と外した脱離時刻とから、シートベルトを装着していたシートベルト装着時間を求めて、本日一日の走行時間で除した値、あるいは、走行時間を近似的に示すものとして、本日一日にエンジンがＯＮ状態になっていたエンジンＯＮ時間で除した値を、エンジンＯＮ時間当たりのシートベルト装着率（シートベルト装着度）として、次の通り算出し、シートベルト装着に関する運転評価データの一つとして運転評価データ保存部３１０ｂに保存する。
【００６６】
走行時間当たりのシートベルト装着率
＝（シートベルト装着時間）／（走行時間）
エンジンＯＮ時間当たりのシートベルト装着率
＝（シートベルト装着時間）／（エンジンＯＮ時間）
さらに、速度に関する運転評価データと同様に、本日一日の走行距離によって正規化して、走行距離当たりのシートベルト装着率として、次の通り算出し、シートベルト装着に関する運転評価データとして運転評価データ保存部３１０ｂに保存するようにしても良い。
【００６７】
本日一日の走行距離当たりのシートベルト装着率
＝（シートベルト装着時間）／（走行距離）
各車両に関するかかるシートベルト装着に関する運転評価データを算出した後、同型の車両、同仕様の車両、同発売時期の車両などの車両グループに分類して、それぞれの車両グループ内におけるシートベルト装着に関する偏差値を算出して、相対的な客観性を示す運行評価データの一つとして運転評価データ保存部３１０ｂに保存する。
【００６８】
また、運転評価計算部３１０ａは、一時停止に関しての「安全」な運転を客観的に評価する運転評価データを、前記特開２００４−３１０２６０号公報と同様の手法を用いて算出する。つまり、本日一日で走行した道路上の一時停止指定場所における走行速度（通過速度）に基づいて得られる一時停止の有無を含む一時停止場所通過時刻から、一時停止指定場所の通過回数と当該一時停止指定場所それぞれでの一時停止の有無の累計回数との割合を、一時停止遵守比率（一時停止遵守度）として、次の通り算出し、一時停止に関する運転評価データの一つとして運転評価データ保存部３１０ｂに保存する。
【００６９】
一時停止遵守比率
＝（一時停止した累積回数）／（一時停止指定場所の通過回数）
各車両に関するかかる一時停止に関する運転評価データを算出した後、同型の車両、同仕様の車両、同発売時期の車両などの車両グループに分類して、それぞれの車両グループ内における一時停止に関する偏差値を算出して、相対的な客観性を示す運行評価データの一つとして運転評価データ保存部３１０ｂに保存する。
【００７０】
また、運転評価計算部３１０ａは、走行中における道路上の他の交通物体への進路の譲りに関しての「丁寧」、「安全」な運転を客観的に評価する運転評価データを、前記特開２００４−0１３６５６号公報と同様の手法を用いて算出する。つまり、道路上の他の交通物体への進路の譲りに関する時間的履歴情報から、本日一日で道路上の他の交通物体に進路を譲った度合いを示す譲り回数を求め、本日一日の走行距離で除して、走行距離当たりの譲り回数比率（譲り度）として、次の通り算出し、譲りに関する運転評価データの一つとして運転評価データ保存部３１０ｂに保存する。
【００７１】
走行距離当たりの譲り回数比率＝（譲り回数）／（走行距離）
各車両に関するかかる譲りに関する運転評価データを算出した後、同型の車両、同仕様の車両、同発売時期の車両などの車両グループに分類して、それぞれの車両グループ内における譲りに関する偏差値を算出して、相対的な客観性を示す運行評価データの一つとして運転評価データ保存部３１０ｂに保存する。
【００７２】
また、運転評価計算部３１０ａは、燃費に関しての「丁寧」、「安全」で部品劣化が少ない運転か否かを客観的に評価する運転評価データを算出する。すなわち、一般道路での燃費、高速道路での燃費を、それぞれ、一般道路の走行距離、高速道路の走行距離で除して、一般道路走行距離当たりの燃費比率、高速道路走行距離当たりの燃費比率として、次の通り算出し、燃費に関する運転評価データの一つとして運転評価データ保存部３１０ｂに保存する。
【００７３】
一般道路走行距離当たりの燃費比率
＝（一般道路での燃費）／（一般道路走行距離）
高速道路走行距離当たりの燃費比率
＝（高速道路での燃費）／（高速道路走行距離）
各車両に関するかかる燃費に関する運転評価データを算出した後、同型の車両、同仕様の車両、同発売時期の車両などの車両グループに分類して、それぞれの車両グループ内における燃費に関する偏差値を算出して、相対的な客観性を示す運行評価データの一つとして運転評価データ保存部３１０ｂに保存する。
【００７４】
なお、車載端末２００からエンジン回転数に関する車両運行情報が転送されてきている場合、運転評価計算部３１０ａは、エンジン回転数に関しての「丁寧」、「安全」な運転すなわちエンジンの使われ方を客観的に評価する運転評価データを算出する。すなわち、一般道路での平均エンジン回転数、高速道路での平均エンジン回転数、本日一日の走行道路での平均エンジン回転数を、それぞれ、一般道路の走行時間、高速道路の走行時間、本日一日の走行時間で除して、一般道路走行時間当たりのエンジン回転数比率、高速道路走行時間当たりのエンジン回転数比率、走行時間当たりのエンジン回転数比率として、次の通り、それぞれの走行時間当たりのエンジン回転数の時間割合を算出し、エンジン回転数に関する運転評価データの一つとして運転評価データ保存部３１０ｂに保存する。
【００７５】
一般道路走行時間当たりのエンジン回転数比率
＝（一般道路でのエンジン回転数）／（一般道路走行時間）
高速道路走行時間当たりのエンジン回転数比率
＝（高速道路でのエンジン回転数）／（高速道路走行時間）
本日一日の走行時間当たりのエンジン回転数比率
＝（エンジン回転数）／（走行時間）
各車両に関するかかるエンジン回転数に関する運転評価データを算出した後、同型の車両、同仕様の車両、同発売時期の車両などの車両グループに分類して、それぞれの車両グループ内におけるエンジン回転数に関する偏差値を算出して、相対的な客観性を示す運行評価データの一つとして運転評価データ保存部３１０ｂに保存する。
【００７６】
以上のように、運転評価サーバ３１０の運転評価計算部３１０ａにおける演算により算出された運転評価データを運転評価データ保存部３１０ｂに保存する動作について、本発明の運転評価データ算出方法の一例を示す図２および図３のフローチャートを用いてさらに説明する。ここで、図２は、本発明による運転評価サポートシステムの運転評価サーバ３１０において、各車両１００ごとの運転評価データを求める動作の前半部の動作例を示すフローチャートであり、図１の運転評価サーバ３１０の運転評価計算部３１０ａにおいて、各車両１００ごとの車両運行情報に基づいて、当該車両１００に関する固有の運転評価データの絶対評価値およびその履歴をそれぞれ算出し、図１の運転評価サーバ３１０の運転評価計算部３１０ａにおいて、運転評価データ保存部３１０ｂに保存する動作の一例を説明するためのフローチャートである。
【００７７】
また、図３は、本発明による運転評価サポートシステムの運転評価サーバ３１０において、各車両１００ごとの運転評価データを求める動作の図２に引き続く動作例を示すフローチャートであり、図１の運転評価サーバ３１０の運転評価計算部３１０ａにおいて、図２の動作によって算出された各車両１００に固有の運転評価データの絶対評価値に基づいて、各車両１００に固有の運転評価データに関する同型・同仕様・同発売時期の車両間における偏差値を求め、運転評価データ保存部３１０ｂに保存する動作の一例を説明するためのフローチャートである。
【００７８】
まず、図２のフローチャートを用いて、図１の運転評価サーバ３１０の運転評価計算部３１０ａの動作について、その一例を説明する。
【００７９】
運転評価サーバ３１０は、前述したように、一日一回、定期的に、各車両１００の車載端末２００からまとめて送信されてきている、その日に走行した一日分の車両走行情報を受信する（ステップＳ００１、Ｓ００２）。この結果、運転評価サーバ３１０の運転評価計算部３１０ａが起動されて、受信した車両運行情報に基づいて、当該車両１００の運転評価データを算出する計算が開始される（ステップＳ００３）。
【００８０】
図２のフローチャートには、Ｓ０１０列、Ｓ０２０列、Ｓ０３０列、Ｓ０４０列、Ｓ０５０列、Ｓ０６０列、Ｓ０７０の７系列の動作が記載されているが、各系列の計算順序は如何なる順番に実施されても良いし、あるいは、可能であれば、同時に、並列に計算されるようにしても良い。
【００８１】
ここで、Ｓ０１０列は、走行速度に関する前述のような演算を行なう動作を示すものであり、Ｓ０２０列は、急制動（加減速度）に関する前述のような演算を行なう動作を示すものであり、Ｓ０３０列は、シートベルトの装着に関する前述のような演算を行なう動作を示すものである。
【００８２】
また、Ｓ０４０列は、一時停止に関する前述のような演算を行なう動作を示すものであり、Ｓ０５０列は、他車両への道路の譲りに関する前述のような演算を行なう動作を示すものであり、Ｓ０６０列は、燃費に関する前述のような演算を行なう動作を示すものであり、Ｓ０７０列は、エンジン回転数に関する情報が転送されてきている場合に、エンジン回転数に関する前述のような演算を行なう動作を示すものである。
【００８３】
Ｓ０１０列では、前述のように、今日一日の走行速度から見た安全度に関する運転評価データを計算する。ここで、同型の全車両の地図データベース１９２に、少なくとも、道路ごとの制限速度の情報も含まれるようになっている場合には、一般道路、高速道路の区別無く、本日一日の走行時間について、一律に、「制限速度を超えていた時間割合」という計算を行なうこともできるようになる。すなわち、地図データベース１９２に登録されている道路の制限速度を超えた時刻と制限速度以下へと低下した時刻とから、地図データベース１９２上の走行道路の制限速度を超えていた時間を求めて、例えば、本日一日の走行時間で除した値を、走行時間当たりの制限速度オーバ比率（本日一日で制限速度を越えていた走行速度の時間割合を示す絶対評価値）として、次の通り算出し（ステップＳ０１１）、走行速度に関する本日の運転評価データの一つとして運転評価データ保存部３１０ｂに保存する（ステップＳ０１２）。
【００８４】
本日一日の走行距離当たりの制限速度オーバ比率
＝（地図データベース上の制限速度を超えていた時間）／（本日の走行時間）
さらに、走行道路の道路種別と時間帯とを判別して一般道路を走行中の走行速度と高速道路を走行中の走行速度とに分けて（ステップＳ０１３）、一般道路については、一般道路で６０ｋｍ／ｈを超えた時刻と６０ｋｍ／ｈ以下へと低下した時刻とから、一般道路を走行中に時速６０ｋｍを超えていた時間を求めて、例えば、一般道路の走行時間で除した値を、一般道路走行時間当たりの一般道路速度オーバ比率（一般道路を走行中に時速６０ｋｍを越えていた走行速度の時間割合を示す絶対評価値）として、次の通り算出し（ステップＳ０１４）、走行速度に関する本日の運転評価データの一つとして運転評価データ保存部３１０ｂに保存する（ステップＳ０１５）。
【００８５】
一般道路走行距離当たりの一般道路速度オーバ比率
＝（一般道路走行中の時速６０ｋｍを超えていた時間）／（一般道路走行時間）
一方、高速道路については、高速道路で１００ｋｍ／ｈを超えた時刻と１００ｋｍ／ｈ以下へと低下した時刻とから、高速道路を走行中に時速１００ｋｍを超えていた時間を求めて、例えば、高速道路の走行時間で除した値を、高速道路走行時間当たりの高速道路速度オーバ比率（高速道路を走行中に時速１００ｋｍを越えていた走行速度の時間割合を示す絶対評価値）として、次の通り算出し（ステップＳ０１６）、走行速度に関する本日の運転評価データの一つとして運転評価データ保存部３１０ｂに保存する（ステップＳ０１７）。
【００８６】
高速道路走行距離当たりの高速道路速度オーバ比率
＝（高速道路走行中の時速１００ｋｍを超えていた時間）／（高速道路走行時間）
ここで、走行速度が、あらかじめ定めた上限閾値を超えているか否かを判定する場合に、例えば、「一般道路においては、渋滞していなければ、時速６０ｋｍ程度でほとんどの車両が走行しており、一般道路を走行中に、ほとんどの車両が時速６０ｋｍを超えていた時間割合は、ほぼ１００％に近い割合であり、この時速６０ｋｍという一般道路の上限閾値を、不安全運転を示す指標とするのはおかしく、一般道路の上限閾値をもっと速い速度にすべきである。」といった論議が発生することが予測される。しかし、本発明の対象は、「安全」、「丁寧」で部品劣化が少ない運転を評価するためのものであり、最終的には、同型・同仕様・同発売時期の車両間の相対的な価値を示す偏差値によって評価されるということに留意すべきである。
【００８７】
つまり、例えば、一般道路を走行している全車両が、時速６０ｋｍを超えた走行速度で走行している場合には、当該車両についても、「同型の車両間においては、特に、安全でも危険でもないし、丁寧でも乱暴でもなく、部品劣化がより少ないともより進んでいるとも言えない。」という最終的な評価になる。したがって、一般道路における一般的な制限速度とされている時速６０ｋｍを、一般道路走行用の上限閾値として採用することは妥当と考えられる。同様に、高速道路においても、高速道路における一般的な制限速度とされている時速１００ｋｍを採用することは妥当と考えられる。
【００８８】
なお、以上の走行速度に関する運転評価データについては、一般道路では、時速６０ｋｍを超えていた時間、高速道路では、時速１００ｋｍを超えていた時間、両者の道路を含む本日一日の走行で、地図データベース１９２の制限速度を超えていた時間を、それぞれの時間で除した時間割合によって求める場合を示したが、前述したように、それぞれの走行距離や、あるいは、エンジンＯＮ時間で除した割合で正規化する場合も含むようにしても良い。
【００８９】
また、Ｓ０２０列では、前述のように、本日一日の急制動（加減速度）頻度による丁寧度・安全度に関する運転評価データを計算する。前述したように、本日一日の制動時ごとの減速度（すなわち、マイナスの加速度）のうち、減速度があらかじめ定めた閾値（例えば、０．９Ｇ）を超えた急制動発生時刻と該閾値以下へと低下した急制動解除時刻とから、あらかじめ定めた閾値（例えば、０．９Ｇ）を超えた急制動の発生回数を求めて、本日一日の走行距離で除して、走行距離当たりの急制動発生比率（当該車両に関する急制動発生頻度を示す絶対評価値）として、次の通り算出し（ステップＳ２１）、急制動に関する本日の運転評価データの一つとして運転評価データ保存部３１０ｂに保存する（ステップＳ２２）。
【００９０】
走行距離当たりの急制動発生比率
＝（急制動（例えば、０．９Ｇ以上の急制動）の発生回数）／（走行距離）
なお、急制動の発生を定義する減速度の閾値は、同型車両間で統一されていれば、０．９Ｇに限らず、如何なる値を採用しても良い。
【００９１】
また、Ｓ０３０列では、前述のように、本日一日の走行中のシートベルト装着による安全度に関する運転評価データを計算する。前述したように、走行中におけるシートベルトを装着した装着時刻と外した脱離時刻とから、シートベルトを装着していたシートベルト装着時間を求めて、例えば、本日一日の走行時間を近似的に示すことができる、本日一日にエンジンがＯＮ状態になっていたエンジンＯＮ時間で除した値を、エンジンＯＮ時間当たりのシートベルト装着率（当該車両に関するシートベルト装着度を示す絶対評価値）として、次の通り算出し（ステップＳ０３１）、シートベルト装着に関する本日の運転評価データの一つとして運転評価データ保存部３１０ｂに保存する（ステップＳ０３２）。
【００９２】
エンジンＯＮ時間当たりのシートベルト装着率
＝（シートベルト装着時間）／（エンジンＯＮ時間）
なお、以上のシートベルト装着度に関する運転評価データについては、エンジンＯＮ時間で除した絶対評価値として求める場合を示したが、前述したように、走行距離や、あるいは、走行時間で除した割合で正規化する場合も含むようにしても良い。
【００９３】
また、Ｓ０４０列では、前述のように、本日一日の一時停止遵守度合いによる安全度に関する運転評価データを計算する。前述したように、本日一日で走行した道路上の一時停止指定場所における一時停止の有無を含む一時停止場所通過時刻から、一時停止指定場所の通過回数と当該一時停止指定場所それぞれでの一時停止の有無の累計回数との割合を、一時停止遵守比率（当該車両に関する一時停止遵守度を示す絶対評価値）として、次の通り算出し（ステップＳ０４１）、一時停止に関する本日の運転評価データの一つとして運転評価データ保存部３１０ｂに保存する（ステップＳ０４２）。
【００９４】
一時停止遵守比率
＝（一時停止した累積回数）／（一時停止指定場所の通過回数）
なお、一時停止の有無を判別する方法として、前述したように、地図データベース１９２上にある一時停止指定場所のうち、例えば、本日一日の走行経路上に存在していた一時停止指定場所における自車両の車速を判断基準として、車速があらかじめ定めた速度閾値（例えば、時速０ｋｍ）以下になっているか否かによって、当該一時停止指定場所に確実に一時停止したか否かを割り出すことができる。
【００９５】
また、Ｓ０５０列では、前述のように、本日一日の道路上の他の交通物体に進路を譲った度合いを示す譲り度による丁寧度に関する運転評価データを計算する。前述したように、道路上の他の交通物体に進路を譲った譲りに関する時間的履歴情報から、本日一日で道路上の他の交通物体に進路を譲った譲り回数を求め、本日一日の走行距離で除して、走行距離当たりの譲り回数比率（当該車両に関する譲り度を示す絶対評価値）として、次の通り算出し（ステップＳ０５１）、譲りに関する本日の運転評価データの一つとして運転評価データ保存部３１０ｂに保存する（ステップＳ０５２）。
【００９６】
走行距離当たりの譲り回数比率＝（譲り回数）／（走行距離）
また、Ｓ０６０列では、前述のように、本日一日の燃費による丁寧度・安全度に関する運転評価データを計算する。前述したように、走行道路の時間帯を判別して一般道路を走行中の燃費と高速道路を走行中の燃費とに分けて（ステップＳ０６１）、一般道路での燃費を一般道路の走行距離で除して、一般道路走行距離当たりの燃費比率（当該車両に関する一般道路における燃費の割合を示す絶対評価値）として、次の通り算出し（ステップＳ０６２）、燃費に関する本日の運転評価データの一つとして運転評価データ保存部３１０ｂに保存する（ステップＳ０６３）。さらに、高速道路での燃費を高速道路の走行距離で除して、高速道路走行距離当たりの燃費比率（当該車両に関する高速道路における燃費の割合を示す絶対評価値）として、次の通り算出し（ステップＳ０６４）、燃費に関する本日の運転評価データの一つとして運転評価データ保存部３１０ｂに保存する（ステップＳ０６５）。
【００９７】
一般道路走行距離当たりの燃費比率
＝（一般道路での燃費）／（一般道路走行距離）
高速道路走行距離当たりの燃費比率
＝（高速道路での燃費）／（高速道路走行距離）
なお、車載端末２００からエンジン回転数に関する車両運行情報が転送されてきている場合、Ｓ０７０列では、本日一日のエンジン回転数による丁寧度・安全度に関する運転評価データを計算する。前述したように、まず、本日一日の走行道路での平均エンジン回転数を本日一日の走行時間で除して、走行時間当たりのエンジン回転数比率（当該車両に関するエンジン回転数の割合を示す絶対評価値）として、次の通り算出し（ステップＳ０７１）、エンジン回転数に関する本日の運転評価データの一つとして運転評価データ保存部３１０ｂにそれぞれ保存する（ステップＳ０７２）。
【００９８】
本日一日の走行時間当たりのエンジン回転数比率
＝（エンジン回転数）／（走行時間）
次に、一般道路の走行中のエンジン回転数と高速道路の走行中のエンジン回転数とに分けて（ステップＳ０７３）、一般道路での平均エンジン回転数を一般道路の走行時間で除して、一般道路走行時間当たりのエンジン回転数比率（当該車両に関する一般道路におけるエンジン回転数の割合を示す絶対評価値）として、次の通り算出し（ステップＳ０７４）、エンジン回転数に関する本日の運転評価データの一つとして運転評価データ保存部３１０ｂに保存するとともに（ステップＳ０７５）、高速道路での平均エンジン回転数を高速道路の走行時間で除して、高速道路走行時間当たりのエンジン回転数比率（当該車両に関する高速道路におけるエンジン回転数の割合を示す絶対評価値）として、次の通りそれぞれ算出し（ステップＳ０７６）、エンジン回転数に関する本日の運転評価データの一つとして運転評価データ保存部３１０ｂにそれぞれ保存する（ステップＳ０７７）。
【００９９】
一般道路走行時間当たりのエンジン回転数比率
＝（一般道路でのエンジン回転数）／（一般道路走行時間）
高速道路走行時間当たりのエンジン回転数比率
＝（高速道路でのエンジン回転数）／（高速道路走行時間）
以上のような動作を行なうことにより、ステップＳ０１０列、Ｓ０２０列、Ｓ０３０列、Ｓ０４０列、Ｓ０５０列、Ｓ０６０列、さらには、場合によっては、Ｓ０７０列の各列で、それぞれをパラメータとした丁寧度、安全度を示す当該車両に関する絶対評価値を算出することができる。
【０１００】
次に、図２のフローチャートにおいて算出された当該車両に関する固有の絶対評価値に基づいて、当該車両に関する丁寧度、安全度の相対的な価値を示す偏差値（同型・同仕様・同発売時期の車両間における偏差値）を算出する動作について、図３に示すフローチャートを用いて説明する。
【０１０１】
図３において、まず、運転評価サーバ３１０の運転評価データ保存部３１０ｂに、当該車両と同型で、かつ、同仕様で、かつ、同発売時期の車両に関する同様の絶対評価値が、あらかじめ定めた標本数以上例えば５０個以上保存されている（すなわち５０台以上の車両に関する絶対評価値が保存されている）か否かを判別する（ステップＳ１０１）。５０個以上保存されている場合（ステップＳ１０１の「≧５０」の場合）、５０個以上の同型で、かつ、同仕様で、かつ、同発売時期の車両に関する絶対評価値間の相対的な位置付けを算出するために、当該車両の絶対評価値それぞれについて、各車両間における偏差値を算出する（ステップＳ１０２）。算出した偏差値は、同型で、かつ、同仕様で、かつ、同発売時期の車両間における相対的な評価を示す本日の運転評価データの一つとして運転評価データ保存部３１０ｂに保存する（ステップＳ１０３）。
【０１０２】
一方、同型で、かつ、同仕様で、かつ、同発売時期の車両に関する絶対評価値が５０個未満しか保存されていなかった場合（ステップＳ１０１の「＜５０」の場合）、次に、当該車両と同型で、かつ、同仕様の車両に関する同様の絶対評価値が、あらかじめ定めた標本数以上例えば５０個以上保存されている（すなわち５０台以上の車両に関する絶対評価値が保存されている）か否かを判別する（ステップＳ１０４）。５０個以上保存されている場合（ステップＳ１０４の「≧５０」の場合）、５０個以上の同型で、かつ、同仕様の車両に関する絶対評価値間の相対的な位置付けを算出するために、当該車両の絶対評価値それぞれについて、各車両間における偏差値を算出する（ステップＳ１０５）。算出した偏差値は、同型で、かつ、同仕様の車両間における相対的な評価を示す本日の運転評価データの一つとして運転評価データ保存部３１０ｂに保存する（ステップＳ１０６）。
【０１０３】
一方、同型で、かつ、同仕様の車両に関する絶対評価値が５０個未満しか保存されていなかった場合（ステップＳ１０４の「＜５０」の場合）、次に、当該車両と同型で、かつ、同発売時期の車両に関する同様の絶対評価値が、あらかじめ定めた標本数以上例えば５０個以上保存されている（すなわち５０台以上の車両に関する絶対評価値が保存されている）か否かを判別する（ステップＳ１０７）。５０個以上保存されている場合（ステップＳ１０７の「≧５０」の場合）、５０個以上の同型で、かつ、同発売時期の車両に関する絶対評価値間の相対的な位置付けを算出するために、当該車両の絶対評価値それぞれについて、各車両間における偏差値を算出する（ステップＳ１０８）。算出した偏差値は、同型で、かつ、同発売時期の車両間における相対的な評価を示す本日の運転評価データの一つとして運転評価データ保存部３１０ｂに保存する（ステップＳ１０９）。
【０１０４】
一方、同型で、かつ、同発売時期の車両に関する絶対評価値が５０個未満しか保存されていなかった場合（ステップＳ１０７の「＜５０」の場合）、次に、当該車両と同型の車両に関する同様の絶対評価値が、あらかじめ定めた標本数以上例えば５０個以上保存されている（すなわち５０台以上の車両に関する絶対評価値が保存されている）か否かを判別する（ステップＳ１１０）。５０個以上保存されている場合（ステップＳ１１０の「≧５０」の場合）、５０個以上の同型の車両に関する絶対評価値間の相対的な位置付けを算出するために、当該車両の絶対評価値それぞれについて、各車両間における偏差値を算出する（ステップＳ１１１）。算出した偏差値は、同型の車両間における相対的な評価を示す本日の運転評価データの一つとして運転評価データ保存部３１０ｂに保存する（ステップＳ１１２）。
【０１０５】
一方、同型の車両に関する絶対評価値が５０個未満しか保存されていなかった場合（ステップＳ１１０の「＜５０」の場合）、５０個未満の少ない標本数ではあるが、同型の車両に関する絶対評価値間の相対的な位置付けを算出するために、当該車両の絶対評価値それぞれについて、各車両間における偏差値を算出する（ステップＳ１１３）。算出した偏差値は、同型の車両間における相対的な評価を示す本日の運転評価データの一つとして運転評価データ保存部３１０ｂに保存するとともに、標本数が少ない旨の注記（コメント）を付した形で保存する（ステップＳ１１４）。
【０１０６】
次に、運転評価データ保存部３１０ｂに保存された当該車両の運転評価データに関する相対的な位置付けを示す偏差値すなわち相対的評価値が、あらかじめ定めた規定値例えば平均偏差値５０から大きく離れた特異点となっているか否かを、運転評価データそれぞれの項目における偏差値についてチェックし、あらかじめ定めた規定値から大きく離れた偏差値すなわち相対的評価値に対して、その原因と想定されるコメント（注意を促す表示）を自動的に生成して、該偏差値に付加する形式で保存する（ステップＳ１１５）。
【０１０７】
例えば、高速道路における走行速度が１００ｋｍ／ｈを超えている時間割合が、同型で、かつ、同仕様で、かつ、同発売時期の車両間との相対的な評価値として、平均偏差値５０から大きく離れた偏差値であると評価された場合、「高速道路ではスピードの出し過ぎです。もう少し、スピードを落として安全に運転しましょう。」などのコメントを付すようにする。
【０１０８】
あるいは、一般道路での燃費が、平均偏差値５０から大幅に離れていた場合には、「一般道路での燃費が良くなるように、加減速頻度を減らすようにしましょう。」などのコメント（注意を促す表示）を付すようにする。ここで、当該車両１００においては、例えば、ＳＴＯＰ＆ＧＯの回数を計測することもできるので、前述した例に更に追加した車両運行情報として、本日一日の「ＳＴＯＰ＆ＧＯ回数」を取得して、運転評価サーバ３１０に転送することにより、運転評価データとして、「ＳＴＯＰ＆ＧＯ回数」を走行距離で除して、走行距離当たりの「ＳＴＯＰ＆ＧＯ回数」に関する絶対評価値およびその相対的評価値である偏差値を算出することも可能である。
【０１０９】
このように、「ＳＴＯＰ＆ＧＯ回数」に関する偏差値を取得している場合に、「ＳＴＯＰ＆ＧＯ回数」に関する偏差値が、例えば同型の車両間で、あらかじめ定めた規定値から大きく離れた値となっていた場合には、その原因を示すコメントを付す際に、「燃費が悪いのは、ＳＴＯＰ＆ＧＯが多いからです。通勤時に通る多車線道路では、流れに乗って速度変動の少ない走行を心がけてみましょう。」というようなコメントを出すことも可能である。
【０１１０】
しかし、一般の車両運転者全員が、ここまで細かい指導を求めているわけではないので、このような細かなコメントを提示されることは、「細かいすぎて反って煩わしい。」という評価になりかねない。そこで、燃費に対する意識の高い運転者に対しては、「燃費に関する偏差値を向上させることができる走行方法の教授」などといった個別指導をコメントとして提示するビジネスモデルの方が現実的である。
【０１１１】
なお、図１に示す運転評価サーバ３１０内には、規定値から大きく離れた相対的評価値（偏差値）となった原因を提示するコメントをコメントリストとしてあらかじめ登録するように表現していないが、かくのごとき原因を示すコメントは、リスト形式で登録するまでもなく、機械的に自動生成することが可能であるからである。ただし、本発明は、かかる場合に限る必要はなく、原因を示すコメントを登録したコメントリストを備えるようにしても、もちろんかまわない。
【０１１２】
図３のフローチャートに戻って、最後に、特異点に関しては、コメントを付して、運転評価データ保存部３１０ｂに保存されている車両１００の運転評価データである絶対評価値とその履歴、相対的な評価値である偏差値とその履歴とを、さらに、偏差値の特異点に関しては、付加されたコメントを含めて、通信ネットワーク７００を介して、当該車両１００の所有者のユーザ宅４００に設置されているＰＣなどの情報通信端末４１０に対して送信することにより、当該車両１００の優良運転に関する成績（評価）データをユーザに対して提示する（ステップＳ１１６）。
【０１１３】
ここで、運転評価サーバ３１０から、当該車両１００の運転評価データとしての絶対評価値、相対的評価値の偏差値、コメントを、車両１００の所有者であるユーザに対して提示する方法としては、１ないし複数の項目からなる運転評価データの各項目について、例えば、「部品劣化に関わる情報」、「安全運転の目安」、「丁寧な運転の目安」、「エンジンの使い方」に関する４つのカテゴリーに分類するとともに、それぞれの項目に関する本日の数値（絶対評価値、相対的評価値の偏差値）と、それらの過去の履歴をグラフとして生成し、さらに、偏差値の特異点に関しては、改善のヒントとなるコメントを付した形式として提示することにしている。
【０１１４】
図４は、本発明による運転評価サポートシステムのユーザ宅４００の情報通信端末４１０におけるディスプレイ画面上に表示される運転評価データの様子の一例を示す画面イメージ図であり、メーカサイト３００の運転評価サーバ３１０から、通信ネットワーク７００を介して、転送されてきた運転評価データを受信したユーザ宅４００の情報通信端末４１０のディスプレイ上に画面表示している様子の一例を示している。
【０１１５】
図４に示す画面表示例においては、表示画面を上下方向に「部品劣化に関わる情報」、「安全運転の目安」、「丁寧な運転の目安」、「エンジンの使い方」に関する４つのカテゴリーに分類し、さらに、それぞれのカテゴリーに属する運転評価データの各項目について、左側の欄には、絶対評価値を、右側の欄には、相対的評価値である偏差値を、それぞれ示している。また、絶対評価値および偏差値のそれぞれの欄には、それぞれの過去からの履歴をグラフ表示するとともに、本日の値を数値で表示し、さらに、偏差値があらかじめ定めた規定値例えば平均偏差値５０から大きく離れている運転評価データの項目については、「コメント」を付して、それぞれ表示している。図４の例では、「一時停止」に関する偏差値は、「２８」と大幅に離れた値となっている特異点であるため、「一時停止では止まりましょう。」というコメントが表示されている。
【０１１６】
なお、各カテゴリーに属する運転評価データの各項目については、図４の場合、次の通り分類している例を示している。
【０１１７】
すなわち、「部品劣化に関わる情報」のカテゴリーには、燃費と急制動とその他の運転評価データの項目が属し、「安全運転の目安」のカテゴリーには、一時停止遵守度とシートベルト装着度と走行速度の時間割合とその他の運転評価データの項目が属し、「丁寧な運転の目安」のカテゴリーには、譲り度合いとその他の運転評価データの項目が属し、「エンジンの使い方」のカテゴリーには、エンジン回転数の運転評価データの項目が属するものとして表示している。
【０１１８】
なお、運転評価データを構成する各項目に関する各カテゴリーの設定方法や各カテゴリーへの分類方法については、かかる場合のみに限るものではなく、前述の項目すべてではなく、１ないし複数の任意の項目数からなっている場合もあり得るし、また、各カテゴリーにふさわしい他の運転評価データの項目（指標）が今後追加されるであろうことも当然想定することができる。
【０１１９】
以上のように、運転評価サーバ３１０の運転評価計算部３１０ａにおける演算によって算出されて、運転評価データ保存部３１０ｂに保存されている、各種の運転評価データ（絶対評価値、相対的評価値）の項目は、メーカサイト３００の運転評価サーバ３１０から、当該車両１００の所有者のユーザ宅４００に設置されているＰＣや携帯端末などの情報通信端末４１０に対して、通信ネットワーク７００を介して、あらかじめ定めた周期ごと、例えば、一日一回ずつ定期的に転送される。
【０１２０】
而して、ユーザ宅４００の情報通信端末４１０において受信された運転評価データは、必要に応じて、ユーザの指示によりあるいは自動的に、プリンタなどの出力機器４２０に印刷されたり、あるいは、ユーザの指示により、ディスプレイなどに表示されたり、あるいは、ＣＤやＤＶＤなどの記録媒体４３０に記録されることが可能であり、車両１００の所有者のユーザは、当該車両１００の現時点における相対的評価値（偏差値）を、今後の優良な運転を行なうための参考情報として利用することも可能であるし、さらには、当該車両１００の売却などの局面においても、自由に活用することができる。
【０１２１】
なお、運転評価サーバ３１０側で各所有者ごとの車両１００に関する運転評価データを印刷することも可能であり、当該運転評価データを印刷した紙媒体を、当該車両１００の所有者であるユーザに対して、ＦＡＸや郵送などの手段により送付することも、もちろん可能である。
【０１２２】
ここで、車両１００の所有者が、当該車両１００を中古車両として売却したいと考えた場合、運転評価サーバ３１０から転送されてきた各種の運転評価データの項目を、ユーザの指示により、情報通信端末４１０から、通信ネットワーク７００を介して、中古車両を買い取って販売する仲介業者の仲介業者サイト５００に設定されている仲介者端末５１０に対して転送することができる。あるいは、通信ネットワーク７００を介して電子的な情報として転送する代わりに、当該車両１００に関する各種の運転評価データの項目が印刷されている紙媒体を、仲介業者に送付するようにしても良い。
【０１２３】
車両１００の所有者であるユーザから販売要求を受け取った仲介業者５００は、ユーザから受け取った当該車両１００に関する各種の運転評価データを、購入希望者に対して公開する当該車両１００に関する販売情報にどのように反映するかという目安として用いることができる。ここで、車両１００の所有者であるユーザから受け取った運転評価データの内容は、前述したように、「丁寧」、「安全」など部品劣化に関連する項目について客観性を有する相対的なデータ（同型・同仕様・同発売時期などの車両グループ内における偏差値）となっており、買取価格・販売価格に関する査定に反映することが可能である。
【０１２４】
当該車両１００の購買希望者が現れた場合、仲介業者５００は、当該車両１００の所有者であるユーザから受け取った各種の運転評価データを、購買希望者宅６００に設置されている購買希望者端末６１０に対して通信ネットワーク７００を介して、電子情報として転送することもできるし、印刷した紙媒体として送付することもできる。
【０１２５】
以上に説明したように、本実施形態においては、車両１００の所有者であるユーザが、今後の運転に当たって、部品劣化を少なくする優良運転を行なうための参考情報を定期的に取得することができる。言い換えると、売却を考えていない時期から、日々、運転評価データを確認することができるため、いずれは売却したいが、できれば高く売却したい、と考えているユーザに対して、今後の優良運転をさらに促進させるという効果を奏することができる。
【０１２６】
さらに、中古車両として販売する際に、当該中古車両の過去の運転状況に関する「丁寧」、「安全」という要件を客観性を有する評価項目として同型、同仕様、同発売時期などの車両グループ内における偏差値として数値化されており、買取価格や販売価格に定量的に反映することも容易に可能となり、「丁寧」、かつ、「安全」に運転されて、部品劣化が少ない優良運転の車両所有者に対して、効果的な支援データを提供することができる。
【０１２７】
なお、本実施形態においては、車両を製造するメーカサイト３００に運転評価サーバ３１０を配置する場合について説明したが、このような配置は本発明の実施形態の一例を示すものであり、本発明の趣旨を逸脱しない限り、かかる場合のみに限るものではなく、例えば、車両の販売サイトに運転評価サーバ３１０を配置しても良い。
【０１２８】
あるいは、各車両の車載端末２００に、運転評価計算部３１０ａの前半部分（すなわち、運転評価データのうち絶対評価値の算出部）を、さらに備えるようにし、当該車両に関する車両運行情報に基づいて当該車両に関する運転評価データの絶対評価値を、各車載端末２００側で算出し、この運転評価データの絶対評価値を例えばメーカサイト３００に設置されている運転評価サーバ３１０側に転送して、各車両についての運転評価データに関する偏差値（相対的評価値）を求めるようにしてもかまわない。
【０１２９】
あるいは、車両の所有者であるユーザ宅４００の情報通信端末４１０に運転評価計算部３１０ａの前半部分（絶対評価値の算出部）を備えるようにし、当該車両に関する車両運行情報を、車載端末２００から通信ネットワーク７００を介して転送させて、当該車両に関する運転評価データの絶対評価値を、各ユーザ宅４００の情報通信端末４１０側で算出し、この運転評価データの絶対評価値をメーカサイト３００に設置されている運転評価サーバ３１０側に転送して、各車両についての運転評価データに関する偏差値（相対的評価値）を求めるようにしてもかまわない。
【０１３０】
以上に、詳細に説明したように、本実施形態によれば、車両に搭載した車載端末が通常センシングしている車両運行情報に関するデータを常時取得して、定期的に運転評価サーバに転送することにより、各センシング結果ごとに点数化・数値化した同種の車両間におけるその相対的な価値を示す偏差値を、当該車両の所有者に提示することが可能であり、かつ、偏差値の履歴を時系列のグラフ表示として視覚性に富む形式で提示するとともに、偏差値が特異な評価値については、今後の運転を改良するためのヒントとなるコメントを付与して提示することも可能としているので、次のような効果を奏することができる。
【０１３１】
すなわち、少なくとも、車両の優良運転をしてきたユーザについては、その車両価値を低減させるようなリスクは低いと客観的に判定することができる目安情報として、「安全」、「丁寧」な運転に関する数値化された尺度が、当該車両と同型・同仕様・同発売時期の車両間の相対的評価値（偏差値）で提示することができるので、優良運転車両については、従来、車両売却査定時に、主観的な推定でしか評価できなかった部分についても、その車両の査定価格の評価に、より確実に反映させることができるという効果を奏することができる。
【０１３２】
さらに、優良運転されている車両は、売却時の査定に有利であることをユーザに理解させることができることに加えて、日々の運転行動の改善度合いについても、例えば時系列でグラフ表示されるため、ユーザに対して、容易に、かつ、継続的に、優良運転を促すこともできる。
【０１３３】
さらに説明すると、次のような効果が得られる。
【０１３４】
まず、車両の運転評価データとして、絶対評価値だけでなく、同種の車両グループ内の相対的な評価値を表現する偏差値としてもユーザや仲介業者に提示することができるので、部品劣化に大きく影響を及ぼす運転に関わる情報でありながら、従来は、客観的には示すことができなかった安全、丁寧な運転の度合いについて、客観的に評価することができる。
【０１３５】
さらに、前述した偏差値は、同型車間と、同型同時期販売車間と、同型同仕様車間と、同型同仕様同時期販売車間と、など、できるだけ、類似する車両グループに属する車両に関する絶対評価値を標本の母集団としているので、世界中の同じような車両の中での位置付けといった、車両の所有者や購買希望者などのユーザにとって、「同じ車種の他の車両はどうなの？」というような、最も意味のある偏差値を示すこともできる。
【０１３６】
さらに、同種の車両グループにおける偏差値として、どの車両グループにおける偏差値を優先してユーザに提示するかという点についても、同型同仕様同発売時期車両グループ、同型同仕様車両グループ、同型同発売時期車両グループ、同型車両グループ、の順に標本の類似度が高いので、この順番に優先して提示することにより、信頼性が高い偏差値を提示することができる。さらには、母集団として、例えば、最低でも５０標本数程度は必要という統計上の信頼性基準を考慮して、あらかじめ定めた基準標本数（閾値）を設定して、該基準標本数を超える標本数を有する車両グループを選択するようにしているので、その時点、その時点で、最も信頼性の高い偏差値を提示することができる。
【０１３７】
さらに、偏差値を算出する車両グループを決定する際に参照される車両の仕様については、車両のシート地が本革かモケットかといったような瑣末で、安全、丁寧な運転には直接関係がない膨大な仕様項目ではなく、例えば、登録重量が同一か否かを、同仕様か否かを示す代用指標としているので、安全、丁寧で部品劣化が少ない運転か否かを判定するために必要な燃費に関する偏差値の計算を、より正確に行なうことができる。
【０１３８】
（第２の実施形態）
次に、本発明による運転評価サポートシステムおよび運転評価データ算出方法に関する第２の実施形態について説明する。
【０１３９】
第２の実施形態における運転評価サポートシステムの構成は、第１の実施形態で説明した図１の運転評価サポートシステムと同様の構成であるが、本実施形態においては、図１に示す車両１００および車載端末２００にそれぞれ破線で表示しているエンジン回転数センサ１９５とエンジン回転数ログ２２９ａとに関する利用方法について、第１の実施形態の「丁寧」、「安全」に関する運転評価とは異なる車両１００の運転評価データを取得する実施例について説明している。
【０１４０】
第１の実施形態においては、データロガー２２０にエンジン回転数ログ２２９ａとして蓄積しているエンジン回転数に関する車両運行情報に基づいて、メーカサイト３００の運転評価サーバ３１０の運転評価計算部３１０ａにおいて、本日一日当たりの走行時間、一般道路の走行時間、高速道路の走行時間で除すことによって正規化した絶対評価値と、その相対的評価値（偏差値）とを算出することにより、燃料を無駄に消費させず、「安全」、かつ、「丁寧」な運転がなされているか否かを評価する例を示した。
【０１４１】
本実施形態においては、納車から本日までのエンジン回転数のおおまかな遷移を把握して、当該車両１００の運転性癖を推定することができるようにするために、エンジン回転数ログ２２９ａとして蓄積しているエンジン回転数に関する車両運行情報を利用する場合を示している。
【０１４２】
すなわち、一般に、車両の運転性癖として、エンジンの使われ方によって、車両それぞれに固有の癖が付いていくと考えられている。特に、癖が付き易い車両は、ミニバンに代表される大型車両である。
【０１４３】
そこで、「丁寧」、「安全」といった運転評価データとして、必ずしも、世界中の全ての車種について比較評価することを目的とされる目安情報ではないものの、このような運転性癖が付いてしまっている中古車両を購買した購買者が、当該中古車両に付いている癖と違うエンジンの使い方をする運転者であったりすると、かなり困惑するものであり、しかも、中古車両に一旦付いてしまっている運転性癖を直すためには、エンジンを分解して、バランスを取り直すという大作業が必要になってくる。したがって、世界中に存在する全ての車種についてグループ分けする必要はないものの、一部の車種においては、納車されてから今日まで、エンジンがどんな育ち方をしてきたのか、という情報が、非常に重要な目安情報の一つとなっている。
【０１４４】
本実施形態は、前述したように、運転性癖を得るための情報として、エンジンの使われ方に関する運転評価データを提供しようとするものである。図５は、本発明による運転評価サポートシステムの運転評価サーバにおいて運転評価データを求める動作の前半部の図２とは異なる動作例を示すフローチャートであり、第２の実施形態における特有の動作部分として、ステップＳ０８０系のみを取り出して、ハッチングによって示している。
【０１４５】
図５において、ステップＳ００１〜Ｓ００３までの動作は、第１の実施形態における図２の場合と全く同様であり、車載端末２００からその日に走行した一日分の車両走行情報を受信すると、メーカサイト３００の運転評価サーバ３１０の運転評価計算部３１０ａが起動されて、受信した車両運行情報に基づいて、当該車両１００の運転評価データを算出する計算が開始される。ステップＳ０１０〜Ｓ０７０までの各動作については、図２のフローチャートと全く同様であり、ここでの重複する説明は省略する。ここで、本実施形態については、エンジン回転数に関する車両運行情報を取得している場合、図２の場合にさらに追加して、ステップＳ０８０列の動作も、順次、あるいは、同時に実行される。
【０１４６】
ステップＳ０８０列においては、まず、車載端末２００から車両運行情報として受信した本日一日のエンジン回転数に関する情報を、納車以来、連続的に順次蓄積している回転数履歴ログに対して追加登録する（ステップＳ０８１）。この回転数履歴ログは、運転評価サーバ３１０の運転評価データ保存部３１０ｂに備えられており、納車から本日に至るまでのエンジン回転数に関する情報を順次登録しており、エンジンの使われ方に関するおおまかな推移を運転性癖パターンとして把握することができる。
【０１４７】
したがって、次に、回転数履歴ログに登録されているエンジン回転数の履歴情報を解析することによって、納車以降本日までのエンジンの使われ方を複数の運転性癖パターンに分類する（ステップＳ０８２）。例えば、本日に至るまでエンジン回転数が高い日々が多く、高速道路を高速で走行する割合が多いと判断されるエンジンについては、「高速回転数型」のエンジンとして分類され、また、エンジン回転数が比較的低い日が多く、街中でのちょっとした買い物などの用件にばかり使っていると判断されるエンジンについては、「低回転数型」のエンジンとして分類される。一方、エンジン回転数が高いところから低いところまでバランス良く分布していて、高速道路や一般道路を満遍なく利用していると判断されるエンジンについては、「バランス型」のエンジンとして分類される。
【０１４８】
かくのごとき分類方法を採用している場合は、本日までのエンジン回転数の推移が、運転性癖が偏らない優良運転評価歴を示すためにあらかじめ定められた優良運転範囲内に満遍なく収まっているか否かを判定して、優良運転範囲内に満遍なく収まっていて、バランス型であると判定されれば（ステップＳ０８２の「バランス型」）、そのまま、バランス型のエンジンである旨を、運転評価データの一つとして運転評価データ保存部３１０ｂに保存する（ステップＳ０８３）。
【０１４９】
また、エンジン回転数の推移が優良運転範囲から上方向に逸脱していたり、優良範囲内の上側に集中して偏って分布している傾向があって、高回転数型であると判定されれば（ステップＳ０８２の「高回転数型」）、絶対評価値としてエンジン回転数の分布の偏りの度合いを数値化するとともに、例えば「高速道路ばかりで飛ばし過ぎです。」といったようなコメントを機械的に付けて、高回転数型である旨を、運転評価データの一つとして運転評価データ保存部３１０ｂに保存する（ステップＳ０８４）。
【０１５０】
一方、エンジン回転数の推移が優良運転範囲から下方向に逸脱していたり、優良範囲内の下側に集中して偏って分布している傾向があって、低回転数型であると判定されれば（ステップＳ０８２の「低回転数型」）、絶対評価値としてエンジン回転数の分布の偏りの度合いを数値化するとともに、例えば、「たまには長距離ドライブでもしたらいかがでしょうか。」といったようなコメントを機械的に付けて、低回転数型である旨を、運転評価データの一つとして運転評価データ保存部３１０ｂに保存する（ステップＳ０８５）。
【０１５１】
以上の動作によって、当該車両１００に関するエンジンの使われ方に関するおおまかな推移を、運転評価データの一つとしての運転性癖に関する絶対評価値を、運転性癖を示す運転性癖パターンとともに取得することができる。しかる後、第１の実施形態の図３に示したステップＳ１０１に移行して、同型・同仕様・同発売時期の組み合わせからなる車両グループに属する車両間の相対的評価値（偏差値）を算出して、その相対的評価値を運転評価データの一つとして運転評価データ保存部３１０ｂに保存する。
【０１５２】
さらに、「エンジンの使い方」に関するカテゴリーには、分類した運転性癖のパターン、本日までの運転性癖に関する絶対評価値とその偏差値、それらの履歴を示すグラフ、をそれぞれ生成して、運転評価データ保存部３１０ｂに保存するとともに、かかる運転性癖に関するデータを、当該車両の所有者であるユーザに提示するために、通信ネットワーク７００を介して、当該車両１００の所有者のユーザ宅４００のＰＣなどの情報通信端末４１０に対して送信することにより、優良運転に関する成績（評価）データを提示する。
【０１５３】
なお、運転性癖に関する分類方法は、前述した場合のみに限るものではなく、本発明の趣旨を逸脱しない限り、車両の運転評価データとして有益な分類であれば、如何なる分類でも適用することができる。
【０１５４】
図６は、本発明による運転評価サポートシステムのユーザ宅４００の情報通信端末４１０におけるディスプレイ画面上に表示される運転評価データの様子の図４とは異なる例を示す画面イメージ図であり、「エンジンの使い方のパターン」欄には、本実施形態における運転性癖に関する情報を、図４のエンジン回転数に代わって表示している場合の例を示している。
【０１５５】
図６においては、当該車両１００の納車以来の運転性癖が、コメント「高速道で飛ばしすぎ？」を付して「高回転数型」である旨のみを示している場合を例にとって示している。ただし、このような場合でも、前述したように、運転性癖に関する絶対評価値や偏差値も、合わせて表示するようにしても良いし、さらには、図４に示したようなエンジン回転数も、表示するようにしてもかまわない。
【図面の簡単な説明】
【０１５６】
【図１】本発明による運転評価サポートシステムに関する第１の実施形態におけるシステム構成例を示すシステム構成図である。
【図２】本発明による運転評価サポートシステムの運転評価サーバにおいて各車両ごとの運転評価データを求める動作の前半部の動作例を示すフローチャートである。
【図３】本発明による運転評価サポートシステムの運転評価サーバにおいて各車両ごとの運転評価データを求める動作の図２に引き続く動作例を示すフローチャートである。
【図４】本発明による運転評価サポートシステムのユーザ宅の情報通信端末におけるディスプレイ画面上に表示される運転評価データの様子の一例を示す画面イメージ図である。
【図５】本発明による運転評価サポートシステムの運転評価サーバにおいて運転評価データを求める動作の前半部の図２とは異なる動作例を示すフローチャートである。
【図６】本発明による運転評価サポートシステムのユーザ宅の情報通信端末におけるディスプレイ画面上に表示される運転評価データの様子の図４とは異なる例を示す画面イメージ図である。
【符号の説明】
【０１５７】
１００…車両、１０５…時計、１１０…エンジンスイッチ、１２０…速度計、１３０…Ｇセンサ（加速度計）、１４０…シートベルト警報装置、１５０…一時停止警報部、１５１…一時停止位置記憶手段、１６０…譲り計算部、１７０…燃費計、１８０…オドメータ（積算距離計）、１９０…カーナビゲーション部、１９１…ＧＰＳ部、１９２…地図データベース、１９５…エンジン回転数センサ、２００…車載端末、２１０…車両運行情報演算部、２２０…データロガー、２３０…通信機能、２２１…エンジンＯＮ／ＯＦＦログ、２２２…速度計ログ、２２２ａ…一般道路で６０ｋｍ／ｈ超時間ログ、２２２ｂ…高速道路で１００ｋｍ／ｈ超時間ログ、２２２ｃ…地図ＤＢの制限速度超時間ログ、２２３…Ｇセンサログ、２２４…シートベルトＯＮ／ＯＦＦログ、２２５…一時停止ログ、２２６…譲りログ、２２７…燃費ログ、２２８…走行距離ログ、２２９…走行道路ログ、２２９ａ…エンジン回転数ログ、３００…メーカサイト、３１０…運転評価サーバ、３１０ａ…運転評価計算部、３１０ｂ…運転評価データ保存部、４００…ユーザ端末、４１０…情報通信端末、４２０…出力機器、４３０…記録媒体、５００…仲介業者サイト、５１０…仲介業者端末、６００…購買希望者宅、６１０…購買希望者端末、７００…通信ネットワーク。
【図１】
2007213324.tif 000003
【図２】
2007213324.tif 000004
【図３】
2007213324.tif 000005
【図４】
2007213324.tif 000006
【図５】
2007213324.tif 000007
【図６】
2007213324.tif 000008